(57)【要約】      （修正有）【課題】多額の費用をかけることなく，ＬＣＤモニターをより高い位置に上昇させることが可能なスクリーンスタンドを提供する。【解決手段】昇降自在なスクリーンスタンドは、移動自在なベースアセンブリ１０と，このアセンブリに取り付けられた昇降装置２０と，スクリーンを固定する保持装置３０を備え，ベースアセンブリは，ベース１１と，このベースに立設した中空の案内支柱２１と，該案内支柱内に設けた支持管に連結するロッドと，該ロッドの上下動に連動するガススプリング２７１から成る空気圧シリンダ２７を設け，該空気圧シリンダのガススプリングのシリンダを，案内支柱に嵌装され，該案内支柱に沿って昇降可能な昇降管２２の上端に連結した。【選択図】図２
2020079922.tif 000002
【特許請求の範囲】
【請求項１】
以下の構成から成る昇降可能なスクリーンスタンド：
移動自在なベースアセンブリ；
該ベースアセンブリに取り付けられた昇降装置；
該昇降装置に取り付けられ，スクリーンを固定する保持装置を備え，
前記ベースアセンブリは，
ベースと，このベースに立設した中空の案内支柱と，該案内支柱内に設けた支持管に連結するロッドと，該ロッドの上下動に連動するガススプリングから成る空気圧シリンダを設け，
該空気圧シリンダのガススプリングのシリンダを，前記案内支柱に嵌装され，該案内支柱に沿って昇降可能な昇降管の上端に連結すると共に，
該空気圧シリンダを成すガススプリングのシリンダが，前記案内支柱に嵌装され，該案内支柱に沿って昇降可能な昇降管の上端に連結すると共に，
前記ロッドの上端を作動バルブを介して前記ガススプリングに連結すると共に，
ＬＣＤモニターなどのスクリーンを固定する前記保持装置は，前記昇降管の上端に前記スクリーンを固定可能に設け，
前記保持装置は，前記昇降管の上端にスクリーンを固定可能に設けたことを特徴とする前記保持装置は，
前記昇降管の上端にスクリーンを固定可能に設けたことを特徴とするスクリーンスタンド。
【請求項２】
前記昇降装置は，前記支持管の内部に配置された少なくとも１つの固定要素を有し，前記ロッドは，前記少なくとも１つの固定要素を摺動自在に貫通する請求項１記載の昇降可能なスクリーンスタンド。
【請求項３】
前記保持装置が，
前記昇降管の上部に取り付けられた連結板，
該連結板に取り付けられた支持杆，
該支持杆に角度調整自在に回動可能に取り付けられたフレーム，
該フレームの内側に配置されたフレームに取り付けられた互いに間隔を空けて配置された複数の取付孔を有すると共に，
前記支持杆に回動可能に取り付けられ，前記フレームの側面に位置する角度調整ハンドル，及びフレームと前記支持杆に取り付けられた少なくとも１つのダッシュポットを有する請求項１記載の昇降可能なスクリーンスタンド。
【請求項４】
前記ベースアセンブリは，
ベース；そして
ベースに取り付けられた連結板と，
前記案内支柱はベースアセンブリの連結板に取り付けられ，
前記ロッドは，前記支持管の内部に配置され，前記ベースアセンブリの固定板を通過して，前記ペダルに当接する請求項１記載の昇降可能なスクリーンスタンド。
【請求項５】
前記固定板は，前記固定板を介して４本のねじを前記ベースに連結することにより前記ベースに固定され，前記案内支柱は，８本のねじを，前記ベースを介して前記案内支柱の底面を前記固定板に取り付ける請求項４記載の昇降可能なスクリーンスタンド。
【請求項６】
前記案内支柱は，等角度間隔で案内支柱の外面に配置された複数の第１の凹角部を有し， 前記昇降管は，等角間隔で前記案内支柱の外面に配置された複数の第２の凹角部を有し，前記複数の第２の凹角部のそれぞれは，前記案内支柱の複数の第１の凹角部のそれぞれに対応して嵌装配置される請求項１記載の昇降可能なスクリーンスタンド。
【請求項７】
前記昇降装置は，前記案内支柱の外面に配置され，前記昇降管の内面に当接する複数の安定化要素を有する請求項１記載の昇降可能なスクリーンスタンド。
【請求項８】
前記ベースアセンブリは，前記ベースの底部に別個に取り付けられ，マトリクス状に配置された４つの車輪を有する請求項１記載の昇降可能なスクリーンスタンド。
【請求項９】
前記支持管は，該支持管の上部に取り付けられたカバーを有し，前記ガススプリングは，前記支持管の前記カバーに固定されている請求項１記載の昇降可能なスクリーンスタンド。
【発明の詳細な説明】
【技術分野】
【０００１】
本発明は，スクリーンスタンドに関し，より詳細には，製造・使用にかかるコストをも削減できる昇降装置を用いて事業用，娯楽用を問わず，プロジェクターのスクリーンあるいはＬＣＤモニターその他のモニター・ディスプレイパネル（以下，本発明において，これらを総称して「スクリーン」といい，これらを載置支持する架台を含む全体装置を「スクリーンスタンド」という）をより高い位置に上昇させることができる昇降可能なスクリーンスタンドに関する。
【背景技術】
【０００２】
液晶ディスプレイ（ＬＣＤ）モニターのサイズは，最新の技術の進歩により大きくなっている。  ＬＣＤモニターの位置を固定及び調整するために，ＬＣＤモニターは，従来のスクリーンスタンドにしばしば取り付けられる。従来のスクリーンスタンドは，空気圧シリンダと保持装置を備えている。空気圧シリンダは従来のスクリーンスタンド内に取り付けられ，保持装置は空気圧シリンダに取り付けられている。ＬＣＤモニターは保持装置に取り付けられ，空気圧シリンダを操作することにより，保持装置が原位置に対して高低差のある任意位置に上昇，下降できる。これにより，ＬＣＤモニターの位置が調整される。
【発明の概要】
【発明が解決しようとする課題】
【０００３】
従来のスクリーンスタンドの空気圧シリンダは，一般的に使われているものは，保持装置を地上１００センチ（ｃｍ）の高さまでしか引き上げることができない。ＬＣＤモニターのサイズが大きい場合，空気圧シリンダの昇降（伸縮）の範囲が制限されているため，ＬＣＤモニターの下部が見えない場合がある。空気圧シリンダのリフト範囲を広げるには，より大きなガス容量が必要である。ガスの容量が大きい空気圧シリンダを製作・準備するには，複雑な技術を要し，コストが増大する。また，全体として，従来のスクリーンスタンドの昇降範囲が広い空気圧シリンダを製作するとすれば，コストが高いものになる。
【０００４】
本発明の主な目的は，多額の費用をかけることなく，ＬＣＤモニターをより高い位置に上昇させることが可能なスクリーンスタンドを提供することにある。
【課題を解決するための手段】
【０００５】
以下に，上記目的を達成するために，本発明の課題を解決するための手段を，発明を実施するための形態・実施例における符号により記載する。この符号は，特許請求の範囲の記載と発明を実施するための形態・実施例の記載との対応を明らかにするためのものであり，言うまでもなく，本発明の特許請求の範囲の技術的範囲の解釈に制限的に用いられるものではない。
【０００６】
以下の構成から成る昇降可能なスクリーンスタンドであって，
移動自在なベースアセンブリ１０と，
該ベースアセンブリに取り付けられた昇降装置２０；
該昇降装置に取り付けられ，好ましくは，垂直方向の面で回動して任意角度で係止するフレーム３３を保持固定する保持装置３０を備え，
前記ベースアセンブリ１０は，
ベース１１と，このベースに立設した中空の案内支柱２１と，該案内支柱に嵌装して設けた支持管２３に連結するロッド２６と，該ロッドの上下動に連動するガススプリング２７１（ピストンロッド）を有する空気圧シリンダ２７を設け，
該空気圧シリンダ２７を成すガススプリング２７１のシリンダ２７３が，前記案内支柱２１に嵌装され，該案内支柱２１に沿って昇降可能な昇降管２２の上端に連結すると共に，
前記ロッド２６の上端を作動バルブ２７２を介して前記ガススプリング２７１に連結すると共に，
ＬＣＤモニターなどのスクリーンを固定する前記保持装置３０は，前記昇降管の上端に前記スクリーンを固定可能に，好ましくは，垂直方向に回動して角度調整可能なフレーム３３に固定して，設けたことを特徴とする。
【０００７】
なお，後述するように，前記ロッド２６は，実施態様では，前記ベースの下方に取り付けられた踏み板部２５１と，該踏み板部に枢動可能に取り付けられたペダル２５の端部に配置され，前記支持管２３の下方に配置されたクランク部２５２に連結され，前記支持管２３の内部に配置され，ベースアセンブリを通過して，前記ロッド２６下端をベースアセンブリ１０の外部に配置された前記ペダルのクランク部２５２に当接するよう設けられている。
【発明の効果】
【０００８】
以上説明した構成により，全体として，保持装置３０及びＬＣＤモニターは，より高低差の大きい昇降範囲を有する高価な空気圧シリンダを採用することなく，支持管２３内に配置されたロッド２６及び，この支持管上のガススプリング２７１によってより高い位置に到達することができ，視認性が良好なスクリーンスタンドを低コストで製造することができる。
【０００９】
本発明の他の目的，利点，及び新規な特徴は，添付の図面と併せて以下の詳細な説明からより明らかになるであろう。
【図面の簡単な説明】
【００１０】
【図１】本発明による昇降可能なスクリーンスタンドの斜視図である。
【図２】図１の昇降可能なスクリーンスタンドの分解斜視図である。
【図３】図１の昇降可能なスクリーンスタンドの正面図である。
【図４】図３の４−４線に沿った昇降可能なスクリーンスタンドの部分断面の側面図である。
【図５】図３の４−４線に沿った昇降可能なスクリーンスタンドの動作時の部分断面側面図であり，昇降可能なスクリーンスタンドの上昇した状態を示している。
【図６】図４の６−６線に沿った昇降可能なスクリーンスタンドの断面図である。
【図７】図４の６−６線に沿った拡大断面図である。
【図８】図９の実施例において，フレームを省略して，スクリーンを固定する連結板３１の他の実施例を示すもので，スクリーンを直接連結板３１の垂直面に位置する取付孔３６に取り付ける構成であり，同図（Ａ）は，長面図，同図（Ｂ）は，側面図である。
【図９】図１〜図７の実施例における昇降装置２０の他の実施例を示し，案内支柱２１と昇降管２２の内外を入れ替えて構成した実施例の図３の４−４線に沿ったと同様の位置における断面図である。
【発明を実施するための形態】
【００１１】
図１〜図３を参照すると，本発明による昇降可能なスクリーンスタンドは，ベースアセンブリ１０，昇降装置２０，及び保持装置３０を含む。
【００１２】
ベースアセンブリ１０
図１〜図３に示すように，ベースアセンブリ１０は，ベース１１と，このベース１１に取り付けられる固定板１２と，前記ベース両側縁の脚部に設けた４つの車輪１３とを有する。４つの車輪１３は，ベース１１の底部に別々に取り付けられ，マトリックス状に配置されている。４つの車輪１３は，ベース１１が移動することを可能にし，本発明スタンドの移動性能を高める。
【００１３】
また，図４に示すように，ベースアセンブリ１０のベース１１の下方に取り付けられているペダル２５は，踏み板部２４と，この踏み板部２４により枢動可能に取り付けられた後端のクランク部２５２と先端の踏み板部２５１とを有する。        
【００１４】
クランク部２５２は，ペダル２５の端部に配置され，踏み板部２４で枢動可能に軸着して取り付けられ，支持管２３の下方に配置される。図２及び図４に示すように，踏み板２５１はクランク部２５２に連結され，ベースアセンブリ１０のベース１１の外部に位置する。ロッド２６は，固定板１２を介して支持管２３の内部に配置され，取り付けられ，ペダル２５のクランク部２５２に当接している。
【００１５】
昇降装置２０
図１〜図３及び図６に示すように，昇降装置２０は，前記ベースアセンブリ１０に取り付けられており，案内支柱２１，この案内支柱２１に嵌装される昇降管２２が，ここでは，前記案内支柱２１内に内装される，前記ロッド２６を備える支持管２３と，この支持管２３上に設けた空気圧シリンダ２７を構成するガススプリング２７１と，中空のガススプリング２７１のシリンダ２７３から成る。
【００１６】
前記案内支柱２１は中空であり，ベースアセンブリ１０の固定板１２に取り付けられ，角部を幅方向断面で直角に切り欠いた複数の第１の凹角部２１１を形成している。この複数の第１の凹角部２１１は，等角度間隔で案内支柱２１の外面上の四角部に配置される。前記案内支柱２１は，８本のネジを，ベース１１及び固定板１２を挿通して案内支柱２１の底部で固定板１２に８本のねじを螺着することにより，固定板１２に強固に固定される。  
【００１７】
昇降管２２は，案内支柱２１にここでは，外嵌して嵌装され，案内支柱２１に沿って移動可能に，前記第１の凹角部２１１に対応する複数の第２の凹角部２２１とを有する。この複数の第２の凹角部２２１は，昇降管２２の外面四角部にそれぞれ配置される。複数の第２の凹角部２２１は，それぞれ，案内支柱２１の複数の第１の凹角部２１１に嵌装，配置され，図６及び図７に示すように，案内支柱２１及び昇降管２２の断面（平面）外形は十字状であり，両者が当接時に案内支柱２１及び昇降管２２によって生じる応力を低減すると共に，構造体の構造強度を高める。このようにして，案内支柱２１及び昇降管２２をより薄い厚さで製造することができ，案内支柱２１及び昇降管２２の材料のコストも減少する。
【００１８】
前記案内支柱２１の内部には，支持管２３を設ける。この支持管２３は中空の内部を有し，ベースアセンブリ１０の固定板１２に取り付けられ，支持管２３の上部には，蓋体を成すカバー２３１を有する。
【００１９】
そして，前述のように，前記支持管２３は，ここでは，前記案内支柱２１内に内装され，ロッド２６を備え，このロッド２６上端が作動バルブ２７２を介して，前記支持管２３上に設けた空気圧シリンダ２７を構成するガススプリング２７１と連動するよう設けられ，該ガススプリング２７１が内部空間を摺動し昇降するガスプリング２７１のシリンダ２７３を有している。
【００２０】
支持管上に設けられた前記空気圧シリンダ２７は，上端が昇降管２２の内部上面に取り付けられており，前記案内支柱２１の内部に配置されている。この空気圧シリンダ２７は，ガススプリング２７１，及びガスプリング２７１の作動バルブ２７２と，このガスプリング２７１により作動するガスプリング２７１のシリンダ２７３を有する。ガススプリング２７１は，支持管２３のカバー２３１上に固定され，支持管の全長を空気圧シリンダの全長に付加している。前記作動バルブ２７２は，ガススプリング２７１の底部に取り付けられている。ガスプリング２７１のシリンダ２７３は，ガススプリング２７１（ピストンロッド）がその伸縮により管内を摺動可能に取り付けられ，上端は，昇降管２２の内側上面に固定されている。
【００２１】
また，図４，図６，及び図７に示すように，昇降装置２０は，支持部材あるいは，緩衝部材を成す，少なくとも１つの固定要素２８及び複数の安定化要素２９を有する。少なくとも１つの固定要素２８は前記支持管２３の内部に配置され，前記ロッド２６は，少なくとも１つの固定要素２８が，支持管２３内の前記ロッド２６を囲み配置されることにより，ロッド２６が支持管２３に衝突するのを防ぐ。複数の安定化要素２９は，支持管２３の外面に配置される。すなわち，案内支柱２１は，昇降管２２の内面に当接しており，昇降管２２は案内支柱２１に沿ってスムーズかつ安定して移動する。複数の安定化要素２９は，昇降装置２０の構造強度も向上させる。
【００２２】
なお，上述実施例においては，昇降管２２は案内支柱２１の外側に位置して配置されているが，実施に応じて，昇降管２２及びその関係部材と，倒立位置での案内支柱２１の内外を入れ替えて配置することができる。すなわち，図９において，図１〜図７の実施例における昇降装置２０とは異なり，案内支柱２１と昇降管２２の内外を入れ替えて構成したものである。各部材の符号は，前出実施例と同様の作用となる部材には，同様の符号を使用しており，位置が入れ替わるほかは，構成の説明は，前述のとおりである。
【００２３】
保持装置３０
図１〜図３に示すように，実施例では，保持装置３０は，昇降装置２０の昇降管２２上端に設けられており，昇降管２２の上部に配置されている。保持装置３０は，昇降管２２の上部に設けた連結板３１，フレーム３３を支持する横梁を成す支持杆３２，及び方形状を成すフレーム３３を有する。図３に示すように，フレーム３３は，２つの縦梁部材３４，前記支持杆３２に連結され所定角度フレーム３３を回動して位置決め固定可能な回動係止機構を有する角度調整ハンドル３５，及び少なくとも１つの緩衝桿を備えるダッシュポット３７を備える。
【００２４】
前記連結板３１は，昇降管２２の上部に取り付けられ，支持杆３２は，前記連結板３１に固着される。また，フレーム３３は，支持杆３２に後述のように，回動可能に取り付けられている。
【００２５】
フレーム３３は，フレーム３３上に間隔を空けて配置された２つの縦梁部材３４を有する。２つの縦梁部材３４は，前記支持杆３２に対して取り付けられ，フレーム３３の内側に固定配置される。２つの縦梁部材３４のそれぞれは，複数の取付孔３６を有する。複数の取付孔３６は，２つの縦梁部材３４の１つに互いに間隔を空けて配置される。位置の異なる取付孔３６は，フレーム３３に取り付けられるＬＣＤモニターのサイズに従って選択される。図３を参照すると，ＬＣＤモニターのサイズが小さい場合，複数の取付孔のうちの４つを使用して取り付けられる。互いに隣接する孔３６は，ＬＣＤモニターを取り付けるために選択される。ＬＣＤモニターのサイズが大きい場合，上側の２つの取付孔３６及び下側の２つの取付孔３６は，ＬＣＤモニターを取り付けるために選択される。角度調整ハンドル３５は，支持杆３２に回動可能に取り付けられ，フレーム３３に取り付けられ，フレーム３３の側面に位置する。少なくとも１つのダッシュポット３７のそれぞれは，２つの端部を有し，ダッシュポット３７の２つの端部の一方はフレーム３３に取り付けられ，ダッシュポット３７の２つの端部の他方は支持杆３２に取り付けられる。
【００２６】
なお，上記フレーム３３は，スクリーンの付属部品としての取付器具を使用して，フレーム３３を要せずに，昇降管２２の上部に設けた連結板３１に直接取り付けることもあり得る。
【００２７】
すなわち，図８に示すように，後掲図９の実施例において，フレームを省略して，コストダウンを図ることを目的とし，スクリーンを固定する連結板３１の他の実施例を示すもので，フレームの支持杆３２を省略し，角度調整ハンドル３５も取り付けていない，簡易な構成により，スクリーンを，昇降管２２の頂部に取り付けたＬ字状連結板３１の略垂直面に設けた取付孔３６に直接取り付ける構成としたものである。
【００２８】
図２，図３及び図５に示すように，必要に応じて，フレーム３３の角度を調整する必要があるときは，角度調整ハンドル３５を支持杆３２に設ける。この角度調整ハンドル３５を支持杆３２に対して回動自在に設け，フレーム３３も支持杆３２に対して回動自在に設けられる。フレーム３３が回動しているとき，少なくとも１つのダッシュポット３７は，フレーム３３に減衰効果を提供する。減衰効果は，ＬＣＤモニターのフレーム及びフレーム３３が回動している間に，ＬＣＤモニターのフレームが保持装置３０のフレーム３３に衝突するのを防ぐ。
【００２９】
フレーム３３が水平である場合，それは会議テーブルまたはドローイングデスクとして利用することができる。人々は議論のためにＬＣＤモニターの周りに集まることができる。フレーム３３が垂直である場合，ＬＣＤモニターは，告知または広告に使用することができる。図１，図２，図４，及び図５に示すように，ＬＣＤモニターを２つの縦梁部材３４の複数の取付孔３６に取り付けることができる。ＬＣＤモニターを上昇させるために，ペダル２５の踏み板部２５１を踏み，踏み板部２５１が下降し，クランク部２５２が上昇する。上昇すると，クランク部２５２はロッド２６を上方に押上げる。次に，ロッド２６が空気圧シリンダ２７の作動バルブ２７２を押す。
【００３０】
作動バルブ２７２の作動により，ガススプリング２７１の作用により，ガスプリング２７１のシリンダ２７３が上方に移動し，このシリンダ２７３の上端が，昇降管２２の上端内面に当接固定すると，昇降管２２も同期上昇する。この昇降管２２の上端へ昇降管が当接固定されることにより，保持装置３０はより高い位置まで上昇する。
【００３１】
保持装置３０が所望の位置まで上昇すると，踏み板部２５１のペダル操作を停止する。その後，ガスプリング２７１のシリンダ２７３，昇降管２２，及び保持装置３０は移動を停止し，ＬＣＤモニターの位置が所望の位置に位置決めされる。ＬＣＤモニターの位置を下げるには，踏み板部２５１を踏み，次に，クランク部２５２がロッド２６を上方に押し，ロッド２６が作動バルブ２７２を作動させる。ガススプリング２７１の作用により，ＬＣＤモニターまたは保持装置３０を，ＬＣＤモニターが目的の位置に到達するまで，下方向に押下げる。適宜，踏み板部２５１のペダル操作を停止する。
【００３２】
昇降管２２及び保持装置３０は，ペダル２５の踏み板部２５１をペダリングすることにより，上下に移動することができる。素早く便利に高い位置または低い位置に移動する。支持管２３及びロッド２６は，空気圧シリンダ２７の初期位置を上昇する。したがって，本発明の空気圧シリンダ２７，昇降管２２，及び保持装置３０は，従来の空気圧シリンダ及び保持装置の高さよりも高い位置に上昇させることができる。本発明に搭載されたＬＣＤモニターは，従来のスクリーンスタンドに搭載されたＬＣＤモニターよりも高い高さに達することができる。したがって，大きなサイズのＬＣＤモニターは，視界を遮られることのない，昇降可能なスクリーンスタンドに取り付けることができ，画面全体を鮮明に見ることができる。全体として，保持装置３０及びＬＣＤモニターは，より高い高さの上昇範囲を有する空気圧シリンダを使用することなく，支持管２３，昇降管２２及びロッド２６によってより高い位置に到達することができ，コストを下げる。
【００３３】
本発明の構造及び特徴の詳細と共に，本発明の多数の特徴及び利点が前述の説明で説明されたが，本開示は例示にすぎない。詳細，特に形状，サイズ，及び本発明の原理内の部品の配置に関して，添付の特許請求の範囲が表現される用語の広い一般的意味によって示される範囲で変更を加えることができる。
【符号の説明】
【００３４】
１０  ベースアセンブリ
１１  ベース               
１２  固定板
１３  車輪               
２０  昇降装置
２１  案内支柱               
２１１  （第１の）凹角部
２２    昇降管               
２２１  （第２の）凹角部
２３  支持管               
２３１  カバー
２４  踏み板部
２５  ペダル               
２５１  踏み板部
２５２  クランク部
２６  ロッド
２７  空気圧シリンダ               
２７１  ガススプリング
２７２  作動バルブ
２７３  ガススプリングのシリンダ
２８  固定要素     
２９  安定化要素         
３０  保持装置
３１  連結板               
３２  フレームの支持杆
３３  フレーム               
３４  フレームの縦梁部材
３５  角度調整ハンドル              
３６  取付孔
３７  ダッシュポット      
【図１】
2020079922.tif 000003
【図２】
2020079922.tif 000004
【図３】
2020079922.tif 000005
【図４】
2020079922.tif 000006
【図５】
2020079922.tif 000007
【図６】
2020079922.tif 000008
【図７】
2020079922.tif 000009
【図８】
2020079922.tif 000010
【図９】
2020079922.tif 000011